(57)【特許請求の範囲】
【請求項１】
糊代片、側パネル、後パネル、側パネル、前パネルを折れ線を介して折り曲げ可能に連設し、前記前パネルの上辺には天パネルを折れ線を介して連設し、前記後パネルの上辺には折れ線を介して天下パネルを連設し、該天下パネルの上辺には折れ線を介して補助パネルを連設し、該補助パネルの上辺には切り取り可能な折れ線を介して表示パネルを連設し、前記後パネルの上部に横方向にジッパーを設け、該ジッパーの両端起点として隣接する両前記側パネルに斜め上方に切り取り線を設けたブランクの各パネルを折り曲げて組み立ててなるカートンであって、
前記補助パネルを前記天下パネルの裏面側に折り返して前記天下パネルの裏面に重ねると共に、前記表示パネルを前記後パネルの裏面に重ね合わせて前記後パネルの前記ジッパーより下の領域で部分的に接着してなることを特徴とする表示パネル付き易開封性カートン。
【請求項２】
前記表示パネルに切り取り線により切り取り可能な切り取り部を設けたことを特徴とする請求項１に記載の表示パネル付き易開封性カートン。
【請求項３】
前記補助パネルの中央横方向に折れ線を設けたことを特徴とする請求項１又は２に記載の表示パネル付き易開封性カートン。
【請求項４】
前記補助パネルに、前記天下パネルとの折れ線の一部を一辺とし、前記表示パネルとの折れ線の一部をもう一辺とした打ち抜き部を設けたことを特徴とする請求項１乃至３のいずれかに記載の表示パネル付き易開封性カートン。
【発明の詳細な説明】
【０００１】
【発明の属する技術分野】
この発明は、食品、医薬品等の説明文を多く記載しなければならない商品で保管したい情報を部分的に簡単に切り取り保管できる表示パネル付き易開封性カートンに関するものである。
【０００２】
【従来の技術】
従来から、食品、医薬品等の内容物を収納したカートンにおいて、商品についての内容説明、使用方法等の情報は、これらの内容物を収納するカートンの表面に印刷されている。それらの情報の中から必要な部分を保管する場合には、カートンのまま保管するか、必要な部分をハサミなどを使用して切り取って保管していた。また、くじなどの開封後に消費者に初めて情報を提供する方法としては、カートンの中に別途カードなどを挿入しておく必要があった。
【０００３】
【発明が解決しようとする課題】
しかしながら、内容説明、使用方法等の情報をカートンの表面に印刷する場合には、カートンの表面積によって印刷する部分が限定されるため、充分な量の内容説明、使用方法等の情報を記載することができないという問題があった。
【０００４】
また、保管する必要のある情報は、カートンのまま保管するか、必要な部分をハサミなどを使用して切り取る必要があり、消費者にとっては不便な状況であった。
さらに、くじなどの開封後に初めて消費者に情報を提供する方法として、別途カードなどをカートンの中に収納する方法は、コストがかかる上、面白さに欠けるものであった。
【０００５】
本発明は、カートンに記載できる表面積を増やすために、表示パネルを設けると共に、保管する必要のある情報を記載した部分を簡単にカード状に切り取ることができる表示パネル付き易開封性カートンを提供することを目的とするものである。
【０００６】
【課題を解決するための手段】
上記の目的を達成するために、本発明は、糊代片、側パネル、後パネル、側パネル、前パネルを折れ線を介して折り曲げ可能に連設し、前記前パネルの上辺には天パネルを折れ線を介して連設し、前記後パネルの上辺には折れ線を介して天下パネルを連設し、該天下パネルの上辺には折れ線を介して補助パネルを連設し、該補助パネルの上辺には切り取り可能な折れ線を介して表示パネルを連設し、前記後パネルの上部に横方向にジッパーを設け、該ジッパーの両端起点として隣接する両前記側パネルに斜め上方に切り取り線を設けたブランクの各パネルを折り曲げて組み立ててなるカートンであって、前記補助パネルを前記天下パネルの裏面側に折り返して前記天下パネルの裏面に重ねると共に、前記表示パネルを前記後パネルの裏面に重ね合わせて前記後パネルの前記ジッパーより下の領域で部分的に接着してなることを特徴とする表示パネル付き易開封性カートンであり、前記表示パネルに切り取り線により切り取り可能な切り取り部を設けたことを特徴とする。また、前記補助パネルの中央横方向に折れ線を設けたことを特徴とする。
さらに、前記補助パネルに、前記天下パネルとの折れ線の一部を一辺とし、前記表示パネルとの折れ線の一部をもう一辺とした打ち抜き部を設けたことを特徴とする。
【０００７】
本発明によれば、表示パネルを設けることにより、カートンに記載できる表面積を増やすことができると共に、必要な情報を記載した部分を簡単にカード状に切り取り保管することができ、くじなどの開封後に消費者に初めて情報を提供することができる表示パネル付き易開封性カートンを得ることができる。
【０００８】
【発明の実施の形態】
以下、図面を用いて本発明の実施の形態を説明する。なお、幾つかの図面に渡って同一または同様な部分には同一の符号を付けている。
【０００９】
図１は本発明の表示パネル付き易開封性カートンの実施の形態の一実施例を示す斜視図である。表示パネル付き易開封性カートンＡは、外観上では、図１−ａに示すように、側面部１と天面部２と底面部３とからなる直方体形状のカートンであり、側面部１が後パネル１２、側パネル１３、前パネル１４、側パネル１５とからなっており、後パネル１２の上部に横方向にジッパーＺを設け、隣接する側パネル１３、１５にはジッパーＺの両端を起点として斜め上方向に切り取り線Ｙ、Ｙ設けている。このジッパーＺを引き裂き、切り取り線Ｙ、Ｙを引き裂くことにより、図１−ｂに示すように、開口蓋部１２Ａを開口することができ、表示パネル２５を表出させることができる。この表示パネル２５には、切り取り線ｐを設け、この切り取り線ｐを切り取ることによって、保管する必要のある情報を記載されたカード形状などの切り取り可能な切り取り部２５ａとして保管することができる。
【００１０】
図２は本発明の表示パネル付き易開封性カートンの実施の形態の一実施例のブランクの展開図である。ブランク１０は、折れ線ａ、ｂ、ｃ、ｄを介して、糊代片１１、後パネル１２、側パネル１３、前パネル１４、側パネル１５を順次連設している。そして、後パネル１２の上辺には折れ線ｅを介して天下パネル１６を連設し、下辺には折れ線ｆを介して底下パネル１７を連設し、側パネル１３の上辺には折れ線ｇを介して天折り込み片１８を連設し、下辺には折れ線ｈを介して底折り込み片１９を連設し、前パネル１４の上辺には折れ線ｉを介して天パネル２０を連設し、下辺には折れ線ｊを介して底パネル２１を連設し、側パネル１５の上辺には折れ線ｋを介して天折り込み片２２を連設し、下辺には折れ線ｌを介して底折り込み片２３を連設している。
【００１１】
また、後パネル１２には、上部にジッパーＺを設け、隣接する側パネル１３、１５にはジッパーＺの両端を起点として斜め上方向に切り取り線Ｙ、Ｙ設けている。
【００１２】
また、天下パネル１６の上辺に折れ線ｍを介して補助パネル２４を連設し、その補助パネル２４の上辺に切り取り可能な折れ線ｎを介して表示パネル２５を連設している。そして、折れ線ｍは、１８０度折り返すため、折り返しやすいようにミシン目、リード罫などとし、折れ線ｎは、開口蓋部１２Ａの開口と同時に表示パネル２５を補助パネル２４から切り取りやすくするために、ミシン目、リード罫、Ｌ字形切れ目などとしている。
【００１３】
また、補助パネル２４には、折れ線ｍ、ｎに平行で、かつ、中間の位置に折れ線ｏを設けている。この折れ線ｏを設けることによって、重なり合っている補助パネル２４と天下パネル１６とを内側に折り曲げた時に内側になる補助パネル２４がつっぱるのを解消することができる。
【００１４】
表示パネル２５は、後パネル１２の裏面に重ねて貼付されることから、後パネル１２の大きさより小さい面積であり、かつ、後パネル１２のジッパーＺより上の領域部分より大きい面積の形状とする。
【００１５】
さらに、表示パネル２５には、切り取り部２５ａを切り取るための切り取り線ｐを設けている。この切り取り部２５ａは、カード形状などとすることができ、保管する必要がある情報が記載されている。そして、切り取った後、切り取り部２５ａとして保管することができる。
【００１６】
図３は本発明の表示パネル付き易開封性カートンの実施の形態の一実施例の別のブランクの展開図である。ブランク１０′のブランク１０と異なる点は、補助パネル２４の中央部に打ち抜き部Ｗを設けていることである。この打ち抜き部Ｗは、折れ線ｍの一部を一辺とし、折れ線ｎの一部をもう一辺とした四角形状である。この打ち抜き部Ｗを設けることによって、折れ線ｍ、ｎ、ｏの折り曲げ幅が狭くなり、補助パネル２４を折れ線ｍで天下パネル１６に折り返しやすくなり、表示パネル２５を切り取り可能な折れ線ｎで補助パネル２４から切り取りやすくなる。さらに、補助パネル２４の折れ線ｏが折り曲げやすくなることによって、充填包装で天下パネル１６を折れ線ｅで折り曲げることが容易となる。
【００１７】
なお、本発明の表示付き易開封カートンは、本実施例に限定されるものではなく、天パネル２０、天下パネル１６、天折り込み片１８、２２、および底パネル２１、底下パネル１７、底折り込み片１９、２３を連設する位置関係については、本実施例に限定されるものではない。
【００１８】
つぎに、図２および図３に示したブランク１０およびブランク１０′からの本実施の形態の表示パネル付き易開封性カートンＡを組立てる工程について図を用いて説明する。
【００１９】
まず、図４−ａに示すように、ブランク１０の状態から補助パネル２４を折れ線ｍで内側に折り曲げて天下パネル１６に重ね合せると同時に、表示パネル２５を後パネル１２の裏面に重ね合せる。そして、図４−ｂに示すように、後パネル１２のジッパーＺより下の領域で、表示パネル２５と部分的に接着して固定している。
【００２０】
この時、表示パネル２５を後パネル１２に重ね合わせて、図４−ａに示すように、スポット状に接着剤を塗布して（接着剤塗布部Ｇ）後パネル１２の裏面に表示パネル２５の裏面を貼り合わせる。スポット状の接着剤塗布部Ｇの位置は、後パネル１２の表示パネル２５が重ね合わされた領域であって、かつ、後パネル１２のジッパーＺから下の領域内としている。このスポット的に貼り合わせるには、ホットメルト接着剤を使用する方法とエマルジョン型接着剤を使用する方法があるが、この加工は、従来の製函工程で行うことができる。
【００２１】
つぎに、折り畳まれた状態の表示パネル付き易開封性カートンＡに組み立てるが、まず、図５−ａに示すように、後パネル１２を折れ線ｂで側パネル１３側に折り曲げ、つぎに、図５−ｂに示すように、側パネル１５を折れ線ｄで前パネル１４側に折り曲げて、糊代片１１と側パネル１５の裏面とを貼り合せる。このようにして、図５−ｃに示すように、折り畳まれた状態の表示パネル付き易開封性カートンＡに組み立てられる。
【００２２】
つぎに、公知のカートニングマシーンによって、表示パネル付き易開封性カートンＡを起こして組み立て、内容物を充填し、密封する。
【００２３】
まず、折り畳まれた状態から、図６−ａに示すように起こされた状態とする。つぎに、開放された部分の一方を形成するが、例えば、底面部３では、二つの底折り込み片１９、２３を内側に折り込み、底下パネル１７を内側に折り曲げ、そして、底パネル２１を内側に折り曲げて底下パネル１７と接着して固定し、図６−ｂに示すように、底面部３を形成する。
【００２４】
つぎに、この図６−ｂに示した状態で、天面部２の側から内容物４をカートン内に挿入し、底面部３の形成と同様に、図６−ｃに示すように、二つの折り込み片１８、２２を内側に折り込み、天下パネル１６を内側に折り曲げ、そして、天パネル２０を折り曲げて天下パネル１６と接着して固定し天面部２を形成する。この時、天下パネル１６折り曲げると同時に天下パネル１６に重ね合わせた補助パネル２４も折り曲げることになるが、補助パネル２４に折れ線ｏを設けていることにより、折り曲げるとともに補助パネル２４が折れ線ｏで折れて膨らみ、補助パネル２４はつっぱることなく天下パネル１６を折り曲げることができる。このようにして、表示パネル付き易開封性カートンＡの組立ておよび内容物４の充填包装を終了する。
【００２５】
上述のように作製された本発明の表示パネル付き易開封性カートンＡを実際に使用する時には、まず、後パネル１２の上部に設けたジッパーＺを引き裂き、そして、側パネル１３、１５に設けた切り取り線Ｙ、Ｙを引き裂くことにより、開口蓋１２Ａを開口することができる。そして、開口蓋１２Ａを開口すると同時に、表示パネル２５が補助パネル２４から切り取られることによって、図１−ｂに示すように、表示パネル１５が表出される。この表出された表示パネル２５の部分を、図７に示すように、切り取り線ｐで切り取り、保管する必要がある情報が記載された切り取り部２５ａとして保管することができる。
【００２６】
【発明の効果】
以上説明したように、本発明の表示パネル付き易開封性カートンによれば、表示パネルを設けることによって、カートンに記載できる表面積を増やすことができ、開口蓋を開口した時に表出した表示パネルの一部を保管する必要がある情報を記載したカード状の切り取り部として切り取り保管することができるという効果がある。また、表示パネルは後パネルの裏面に重なった状態であり、開封前には認識することができずに、開口蓋を開口した時に、はじめて表出する形態であることから、消費者が開封後に初めて情報を認識できる必要がある「くじ」などの用途に有効である。また、本発明の表示パネル付き易開封性カートンは、従来の製函工程で製造することができ、そして、従来のカートニングマシンによってカートンの組立ておよび内容物の充填を行うこうとができる。
【図面の簡単な説明】
【図１】本発明の表示パネル付き易開封性カートンの実施の形態の一実施例を示す斜視図である。
【図２】本発明の表示パネル付き易開封性カートンの実施の形態の一実施例のブランクの展開図である。
【図３】本発明の表示パネル付き易開封性カートンの実施の形態の一実施例のブランクの展開図である。
【図４】本発明の表示パネル付き易開封性カートンの実施の形態の一実施例のブランクから組み立てる工程を説明する斜視図である。
【図５】本発明の表示パネル付き易開封性カートンの実施の形態の一実施例のブランクから組み立てる工程を説明する概略図である。
【図６】本発明の表示パネル付き易開封性カートンの実施の形態の一実施例を組み立てて内容物を充填する工程を説明する概略図である。
【図７】本発明の表示パネル付き易開封性カートンの実施の形態の一実施例を実際に使用する方法を説明する斜視図である。
【符号の説明】
Ａ    表示パネル付き易開封性カートン
１    側面部
２    天面部
３    底面部
４    内容物
１０    ブランク
１０′  ブランク
１１    糊代片
１２    後パネル
１３    側パネル
１４    前パネル
１５    側パネル
１６    天下パネル
１７    底下パネル
１８    天折り込み片
１９    底折り込み片
２０    天パネル
２１    底パネル
２２    天折り込み片
２３    底折り込み片
２４    補助パネル
２５    表示パネル
２５ａ  切り取り部
１２Ａ  開口蓋
Ｚ    ジッパー
Ｙ    切り取り線
Ｇ    接着剤塗布部
Ｗ    打ち抜き部
ａ〜ｏ  折れ線
ｐ    切り取り線
【図１】
0004620273.tif 000002
【図２】
0004620273.tif 000003
【図３】
0004620273.tif 000004
【図４】
0004620273.tif 000005
【図５】
0004620273.tif 000006
【図６】
0004620273.tif 000007
【図７】
0004620273.tif 000008